(57)【要約】【目的】本発明は、施工機能、防水機能、等を向上した屋根構造あるいは外壁構造として使用される外装構造に係るものである。【構成】上下端に雄雌連結構造を形成した外装構造Ｙにおいて、略鉛直平面状の化粧面Ｋと、化粧面Ｋの下端には屋内側に屈曲させた段差化粧面ＤＫと、段差化粧面ＤＫ先端を上方に折り返した下縁Ｅとから突出嵌合雌部Ｍを形成し、下縁Ｅの先端を屋内側に屈曲した立下げ片Ｌと、立下げ片Ｌの先端を上方に屈曲した差込片Ｓとから水返し片Ｗを形成し、化粧面Ｋの上端には屋外側へ屈曲すると共に先端を下方に垂下して嵌合雄部Ｏと嵌合溝部ｔを形成した外装材Ｙを、その雄雌連結と固定具βによる固定により下地αに固定した外装構造である。【選択図】図１
2016186168.tif 000002
【特許請求の範囲】
【請求項１】
上下端に雄雌連結構造を形成した外装構造において、略鉛直平面状の化粧面と、該化粧面の下端には屋内側に屈曲させた段差化粧面と、段差化粧面先端を上方に折り返した下縁とから突出嵌合雌部を形成し、下縁の先端を屋内側に屈曲した立下げ片と、立下げ片の先端を上方に屈曲した差込片とから水返し片を形成し、化粧面の上端には屋外側へ屈曲すると共に先端を下方に垂下して嵌合雄部と嵌合溝部を形成した外装材を、その雄雌連結と固定具による固定により下地に固定したことを特徴とする外装構造。
【発明の詳細な説明】
【技術分野】
【０００１】
本発明は、施工機能、防水機能、等を向上した屋根構造あるいは外壁構造として使用される外装構造に係るものである。
【背景技術】
【０００２】
一般に、金属製板材をロール成形、プレス成形等して加工した屋根材は数多く上市されている。（例えば、特許文献１参照）。
【０００３】
【特許文献１】特開２００８−９５４１５
【発明の概要】
【発明が解決しようとする課題】
【０００４】
特許文献１は裏面に断熱材を形成し、上下端部には雄雌連結構造を形成した横葺き金属製外装材である。しかしながら、例えば特許文献１では、段葺きのような形状を形成するために下端雌部が厚みのある箱折状に折られており、施工時に外装材を加工する際ハサミで切りづらい形状であった。一方、段の低い平葺きのような形状では、嵌合部での水分やゴミやほこりの滞留、嵌合内側への水の回り込み、毛細管現象による嵌合内側への水の侵入等の恐れがあった。
【課題を解決するための手段】
【０００５】
本発明はこのような欠点を解決するために、上下端に雄雌連結構造を形成した外装構造において、略鉛直平面状の化粧面と、化粧面の下端には屋内側に屈曲させた段差化粧面と、段差化粧面先端を上方に折り返した下縁とから突出嵌合雌部を形成し、下縁の先端を屋内側に屈曲した立下げ片と、立下げ片の先端を上方に屈曲した差込片とから水返し片を形成し、化粧面の上端には屋外側へ屈曲すると共に先端を下方に垂下して嵌合雄部と嵌合溝部を形成した外装材を、その雄雌連結と固定具による固定により下地に固定した外装構造を提供するものである。
【発明の効果】
【０００６】
本発明に係る外装構造によれば下記のような効果を発揮出来る。（１）外装材に形成した突出嵌合雌部により外装材下端部の水切れが良くなり、水分やゴミやほこりの滞留が防止されるために、外装材の劣化防止と外装材の防水性が向上する。（２）外装材の突出嵌合雌部と水返し片により、水が回り込みにくい形状となるため、嵌合内側への水の回り込みが防止される。（３）外装材の嵌合内側に空隙を設けたことで、毛細管現象による浸水が防止される。（４）外装材の突出嵌合雌部により外装材下端部をハサミで切りやすくなり、施工時の加工が容易になり、施工性が向上する。等の特徴・効果がある。
【図面の簡単な説明】
【０００７】
【図１】本発明に係る外装構造の一例を示す断面図である。
【図２】本発明に係る外装構造に使用する外装材の一例を示す断面図である。
【図３】本発明に係る外装構造に使用する外装材の嵌合状態を示す図である。
【図４】本発明に係る外装構造に使用する外装材の一例を示す参考斜視図である。
【図５】本発明に係る外装構造に使用する外装材のその他の実施例示す断面図である。
【発明を実施するための形態】
【実施例】
【０００８】
以下に図面を用いて本発明に係る外装構造について詳細に説明する。図１は外装材Ｙを屋根材として利用した際の嵌合状態を示す断面図、図２は金属製板材Ｉと断熱材Ｄ、裏面材Ｒよりなる長尺状の外装材Ｙの断面を示すものである。図３は金属製板材Ｉよりなる外装材Ｙ２、図４は外装材Ｙの参考斜視図である。
【０００９】
本発明に係る外装構造の代表的な例としては、図２のような金属製板材Ｉと断熱材Ｄ、裏面材Ｒよりなる外装材Ｙや、図３のような金属製板材Ｉよりなる外装材Ｙ２が考えられる。これらは長尺状または短尺状のものである。
【００１０】
金属製板材Ｉは、例えば金属板（カラー鋼板、銅板、アルミニウム板、チタン板、ステンレス板、サンドイッチ鋼板、クラッド鋼板等）等をロール成形、プレス成形、押出成形、等によって形成したものである。
【００１１】
断熱材Ｄは防水材、断熱材、補強材、嵩上げ材、遮音材、吸音材、緩衝材、防火材、結露防止材、等として機能するものであり、主には、合成樹脂発泡体を使用するものである。その素材としては、スチレンフォーム、ポリウレタンフォーム、ポリイソシアヌレートフォーム、フェノールフォーム、塩化ビニルフォーム、ポリエチレンフォーム、ポリスチレンフォーム、ユリアフォーム等、の合成樹脂発泡体からなる。
【００１２】
また、断熱材Ｄ中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、耐火性、防火性を向上させることも出来る。
【００１３】
裏面材Ｒはクラフト紙、アルミ蒸着紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート等からなるものである。
【００１４】
さらに説明すると、外装材Ｙは図２に示すように化粧面Ｋの下端部を外装材Ｙ屋内側に屈曲させ段差化粧面ＤＫを形成し、段差化粧面ＤＫの先端を上方に折り返し下縁Ｅを形成する。これにより、化粧面Ｋ、段差化粧面ＤＫ、下縁Ｅからなる突出嵌合雌部Ｍを形成する。さらに下縁Ｅの先端を屋内側に屈曲して立下げ片Ｌを形成し、立下げ片Ｌの先端を上方に屈曲して差込片Ｓを形成し、これにより立下げ片Ｌと差込片Ｓからなる水返し片Ｗを形成する。さらに、差込片Ｓ先端を屋内側に屈曲すると共に下方に折り返して折返し片Ｕを形成する。
【００１５】
さらに、化粧面Ｋの上端部を屋外側へ屈曲して立上げ片Ｔを形成し、立上げ片Ｔの先端を下方に屈曲し、その先を屋外側へ屈曲すると共に先端を上方に折り返すことで嵌合雄部Ｏを形成し、その先を立上げ片Ｔに沿わせる形で曲げおろし、その先を外装材Ｙの化粧面Ｋと同じ面になるように上方に屈曲して突出させ釘打ち部Ｇを形成し、釘打ち部Ｇの先端部を屋外側へ屈曲すると共に先端を下方に折り返して舌片Ｚを形成したものである。なお、ｔは化粧面Ｋと立上げ片Ｔと嵌合雄部Ｏよりなる嵌合溝部である。
【００１６】
段差化粧面ＤＫから差込片Ｓ先端までの長さをｍ、嵌合雄部Ｏ先端から嵌合溝部ｔの最奥までの長さをｎとすると、ｍ≒ｎである。このために、図１に示すように、雄雌を連結させると、差込片Ｓが立上げ片Ｔにぶつかることで、水返し片Ｗと立上げ片Ｔとの間に空隙Ｃが形成される。
【００１７】
さらに、図１に示すように、雄雌を連結させた際、突出嵌合雌部Ｍは連結下側の外装材Ｙの化粧面Ｋから高さがあり、下側には空間も空いているため、連結上側の外装材Ｙの下端部においては、屋根表面を伝って流れてきた水が良く切れ、水分やゴミやほこりの滞留が防止される。
【００１８】
この突出嵌合雌部Ｍの作用で水切れが良いことにプラスして、立下げ片Ｌ、差込片Ｓからなる水返し片Ｗがあることで、切れずに伝ってきた水や、軒側から吹き上げてきた水の嵌合内側への回り込みも防止される。
【００１９】
また、立下げ片Ｌと、差込片Ｓと、立上げ片Ｔとによって嵌合内側に空隙Ｃが形成されることで、毛細管現象による浸水も防止される。
【００２０】
化粧面Ｋと下縁Ｅ間の幅ｍ１、嵌合雄部Ｏの幅をｎ１とするとｍ１≒ｎ１かつｍ１＞ｎ１の関係である。このために、嵌合後もガタ付き無く施工出来るものである。
【００２１】
また、下端を突出嵌合雌部Ｍと水返し片Ｗにて形成したことで、突出嵌合雌部Ｍは厚さが薄く一段出っ張った形状となり、ハサミで切りやすい。このため、外装材Ｙの下端部は段葺き状の高さを確保しつつもハサミで切りやすいので施工時の加工が容易になる。
【００２２】
下地αは、一般的には垂木、野地板、防水シートから構成した木造下地を示したものである。すなわち、垂木上に野地板を敷設し、野地板上に防水シート（アスファルトルーフィング等）を配設した構造の下地αである。また、下地αとしてＨ形鋼、Ｉ形鋼、ミゾ形鋼、軽量ミゾ形鋼、リップ溝形鋼、等辺山形鋼、不等辺山形鋼、角形鋼（角パイプ）、円形鋼（円形パイプ）、等を使用した鉄骨下地でもよい。勿論、既存の屋根を残して改修する屋根の際には、これら既存屋根の下地上に金属横葺き屋根、金属瓦棒葺き屋根、新生瓦（コロニアル）、瓦屋根、等が形成された構造が下地αとなる。勿論、防水シートを形成しない下地αも考えられる。
【００２３】
以上説明したのは、本発明に係る外装構造の一実施例にすぎず、図５（ａ）〜（ｃ）に示すように外装材Ｙを形成することが出来る。
【符号の説明】
【００２４】
α    下地
β    固定具
Ｙ    外装材
Ｙ２  外装材
Ｉ    金属製板材
Ｋ    化粧面
Ｒ    裏面材
Ｄ    断熱材
Ｏ    嵌合雄部
Ｇ    釘打ち部
Ｔ    立上げ片
ｔ    嵌合溝部
Ｚ    舌片
Ｍ    突出嵌合雌部
ＤＫ  段差化粧面
Ｅ    下縁
Ｌ    立下げ片
Ｓ    差込片
Ｕ    折返し片
Ｗ    水返し片
Ｃ    空隙
【図１】
2016186168.tif 000003
【図２】
2016186168.tif 000004
【図３】
2016186168.tif 000005
【図４】
2016186168.tif 000006
【図５】
2016186168.tif 000007